(57)【要約】      （修正有）【課題】みかんの、保管時及び輸送時に生じる損傷により、廃棄するみかんの数を減らすとともに、みかんの鮮度を保つことができる包装体の集合物を提供する。【解決手段】１個のみかんと、前記みかんを収納する包材とを有する包装体を複数有し、前記複数の包装体が、箱に、前記みかん同士が直接接触することなく収納されていることを特徴とする包装体の集合物。また、内寸が長さ４００ｍｍ、幅３００ｍｍ、深さ２５０ｍｍの段ボール箱に前記包装体を満了充填したときの前記包装体の重量の合計をＸ［ｇ］、前記段ボール箱に前記みかんを裸で満了充填したときの前記みかんの重量の合計をＹ［ｇ］としたとき、０．４≦Ｘ／Ｙ≦０．９を満たす。これにより緩衝効果と充填効率の両方を高めることができる。【選択図】図１
0003232358.tif 000002
【実用新案登録請求の範囲】
【請求項１】
１個のみかんと、前記みかんを収納する包材とを有する包装体を複数有し、前記複数の包装体が、箱に、前記みかん同士が直接接触することなく収納されていることを特徴とする包装体の集合物。
【請求項２】
前記包材は、視認性を有する樹脂フィルムで構成されている請求項１に記載の包装体の集合物。
【請求項３】
前記樹脂フィルムは、着色フィルムである請求項２に記載の包装体の集合物。
【請求項４】
前記包材は、気密性を有するものである請求項１ないし３のいずれか１項に記載の包装体の集合物。
【請求項５】
前記包材は、液体不透過性があり、かつ、水蒸気透過性を有するものである請求項１ないし４のいずれか１項に記載の包装体の集合物。
【請求項６】
前記包材は、複数の微小な孔が形成されている請求項５に記載の包装体の集合物。
【請求項７】
前記包材は、前記包材内に１．５気圧の空気を充填したとき、１．０気圧に戻るまでの時間が２０時間〜１００時間である請求項５または６に記載の包装体の集合物。
【請求項８】
前記包材は、耐破裂圧力が１．２気圧〜３．０気圧である請求項１ないし７のいずれか１項に記載の包装体の集合物。
【請求項９】
前記包材は、筒状をなす樹脂フィルムの一端部を封止する第１シール部と、前記樹脂フィルムの他端部を封止する第２シール部とを有する請求項１ないし８のいずれか１項に記載の包装体の集合物。
【請求項１０】
前記第１シール部の延在方向と、前記第２シール部の延在方向とが非平行である請求項９に記載の包装体の集合物。
【請求項１１】
前記包材同士を連結する連結部を有する請求項１ないし１０のいずれか１項に記載の包装体の集合物。
【請求項１２】
前記連結部は、易破断部を有し、前記易破断部を破断して前記包装体同士を分離する請求項１１に記載の包装体の集合物。
【請求項１３】
前記包材は、前記みかんの品種、産地、収穫日、販売値、大きさ、等級、生産者名、価格、消費期限、管理番号、連絡用アドレス情報のうちの少なくとも１つを表示または担持する情報表示部を有する請求項１ないし１２のいずれか１項に記載の包装体の集合物。
【請求項１４】
内寸が長さ４００ｍｍ、幅３００ｍｍ、深さ２５０ｍｍの段ボール箱に前記包装体を満了充填したときの前記包装体の個数が、１０個〜３０個である請求項１ないし１３のいずれか１項に記載の包装体の集合物。
【請求項１５】
内寸が長さ４００ｍｍ、幅３００ｍｍ、深さ２５０ｍｍの段ボール箱に前記包装体を満了充填したときの全前記包装体の重量の合計をＸ［ｇ］、前記段ボール箱に前記みかんを裸で満了充填したときの全前記みかんの重量の合計をＹ［ｇ］としたとき、０．４≦Ｘ／Ｙ≦０．９を満たす請求項１ないし１４のいずれか１項に記載の包装体の集合物。
【請求項１６】
内寸が長さ４００ｍｍ、幅３００ｍｍ、深さ２５０ｍｍの段ボール箱に前記包装体を満了充填し、それら全前記包装体から前記みかんを取り出し、取り出した前記みかん全部を前記段ボール箱に充填したとき、前記みかん最上部の、前記段ボール箱の底面からの高さが１００ｍｍ〜２２０ｍｍである請求項１ないし１５のいずれか１項に記載の包装体の集合物。
【請求項１７】
内寸が長さ４００ｍｍ、幅３００ｍｍ、深さ２５０ｍｍの段ボール箱に前記包装体を満了充填したときの、前記各包装体に収納された前記みかん１個の重量の平均値をＡ［ｇ］としたとき、前記各みかんの重量の標準偏差σが０．２Ａ以下である請求項１ないし１６のいずれか１項に記載の包装体の集合物。
【請求項１８】
前記各みかんは、収穫から３日〜６０日経過したものである請求項１ないし１７のいずれか１項に記載の包装体の集合物。
【請求項１９】
前記各みかんの７５％以上は、果梗部が同一方向を向くように前記箱内に収納されている請求項１ないし１８のいずれか１項に記載の包装体の集合物。
【請求項２０】
鉛直方向に隣接する前記みかん同士は、鉛直方向と直行する方向に前記みかん半個分ずれて配置されている請求項１ないし１９のいずれか１項に記載の包装体の集合物。
【請求項２１】
前記包材内に、乾燥剤、液体吸収材、保水材、脱酸素剤、緩衝材のうちの少なくとも１つが収納されている請求項１ないし２０のいずれか１項に記載の包装体の集合物。
【請求項２２】
前記包装体は、前記包材の圧縮または変形を阻止する補強部を有する請求項１ないし２１のいずれか１項に記載の包装体の集合物。
【考案の詳細な説明】
【技術分野】
【０００１】
本考案は、包装体の集合物に関する。
【背景技術】
【０００２】
例えば、非特許文献１に示すように、従来、複数のみかんは、裸で箱内に収納され、隣接するみかん同士が接触していた。また、みかんが収納された箱は、保管時、輸送時には、鉛直方向に重ねた状態とすることもある。
【先行技術文献】
【特許文献】
【０００３】
【非特許文献１】［令和２年１１月２３日検索］、インターネット＜ＵＲＬ：https://2016memoirs.com/8569.html＞
【考案の概要】
【考案が解決しようとする課題】
【０００４】
しかしながら、みかんは、比較的皮が柔らかいため、損傷しやすく、果肉の汁が出やすい果物である。このため、箱内でみかんが潰れた場合、果肉の汁が箱内に広がってしまう。また箱内のみかんが損傷した場合、損傷部からカビが生えたり、腐ったりして、周囲のみかんにも移ってしまう。
【０００５】
本考案の目的は、保管時、輸送時等に生じる、廃棄しなければいけないみかんの数を減らすことができるとともに、みかんの鮮度を保つことができる包装体の集合物を提供することにある。
【課題を解決するための手段】
【０００６】
このような目的は、下記に記載の本考案により達成される。
（１）  １個のみかんと、前記みかんを収納する包材とを有する包装体を複数有し、前記複数の包装体が、箱に、前記みかん同士が直接接触することなく収納されていることを特徴とする包装体の集合物。
【０００７】
（２）  前記包材は、視認性を有する樹脂フィルムで構成されている上記（１）に記載の包装体の集合物。
【０００８】
（３）  前記樹脂フィルムは、着色フィルムである上記（２）に記載の包装体の集合物。
【０００９】
（４）  前記包材は、気密性を有するものである上記（１）ないし（３）のいずれかに記載の包装体の集合物。
【００１０】
（５）  前記包材は、液体不透過性があり、かつ、水蒸気透過性を有するものである上記（１）ないし（４）のいずれかに記載の包装体の集合物。
【００１１】
（６）  前記包材は、複数の微小な孔が形成されている上記（５）に記載の包装体の集合物。
【００１２】
（７）  前記包材は、前記包材内に１．５気圧の空気を充填したとき、１．０気圧に戻るまでの時間が２０時間〜１００時間である上記（５）または（６）に記載の包装体の集合物。
【００１３】
（８）  前記包材は、耐破裂圧力が１．２気圧〜３．０気圧である上記（１）ないし（７）のいずれかに記載の包装体の集合物。
【００１４】
（９）  前記包材は、筒状をなす樹脂フィルムの一端部を封止する第１シール部と、前記樹脂フィルムの他端部を封止する第２シール部とを有する上記（１）ないし（８）のいずれかに記載の包装体の集合物。
【００１５】
（１０）  前記第１シール部の延在方向と、前記第２シール部の延在方向とが非平行である上記（９）に記載の包装体の集合物。
【００１６】
（１１）  前記包材同士を連結する連結部を有する上記（１）ないし（１０）のいずれかに記載の包装体の集合物。
【００１７】
（１２）  前記連結部は、易破断部を有し、前記易破断部を破断して前記包装体同士を分離する上記（１１）に記載の包装体の集合物。
【００１８】
（１３）  前記包材は、前記みかんの品種、産地、収穫日、販売値、大きさ、等級、生産者名、価格、消費期限、管理番号、連絡用アドレス情報のうちの少なくとも１つを表示または担持する情報表示部を有する上記（１）ないし（１２）のいずれかに記載の包装体の集合物。
【００１９】
（１４）  内寸が長さ４００ｍｍ、幅３００ｍｍ、深さ２５０ｍｍの段ボール箱に前記包装体を満了充填したときの前記包装体の個数が、１０個〜３０個である上記（１）ないし（１３）のいずれかに記載の包装体の集合物。
【００２０】
（１５）  内寸が長さ４００ｍｍ、幅３００ｍｍ、深さ２５０ｍｍの段ボール箱に前記包装体を満了充填したときの全前記包装体の重量の合計をＸ［ｇ］、前記段ボール箱に前記みかんを裸で満了充填したときの全前記みかんの重量の合計をＹ［ｇ］としたとき、０．４≦Ｘ／Ｙ≦０．９を満たす上記（１）ないし（１４）のいずれかに記載の包装体の集合物。
【００２１】
（１６）  内寸が長さ４００ｍｍ、幅３００ｍｍ、深さ２５０ｍｍの段ボール箱に前記包装体を満了充填し、それら全前記包装体から前記みかんを取り出し、取り出した前記みかん全部を前記段ボール箱に充填したとき、前記みかん最上部の、前記段ボール箱の底面からの高さが１００ｍｍ〜２２０ｍｍである上記（１）ないし（１５）のいずれかに記載の包装体の集合物。
【００２２】
（１７）  内寸が長さ４００ｍｍ、幅３００ｍｍ、深さ２５０ｍｍの段ボール箱に前記包装体を満了充填したときの、前記各包装体に収納された前記みかん１個の重量の平均値をＡ［ｇ］としたとき、前記各みかんの重量の標準偏差σが０．２Ａ以下である上記（１）ないし（１６）のいずれかに記載の包装体の集合物。
【００２３】
（１８）  前記各みかんは、収穫から３日〜６０日経過したものである上記（１）ないし（１７）のいずれかに記載の包装体の集合物。
【００２４】
（１９）  前記各みかんの７５％以上は、果梗部が同一方向を向くように前記箱内に収納されている上記（１）ないし（１８）のいずれかに記載の包装体の集合物。
【００２５】
（２０）  鉛直方向に隣接する前記みかん同士は、鉛直方向と直行する方向に前記みかん半個分ずれて配置されている上記（１）ないし（１９）のいずれかに記載の包装体の集合物。
【００２６】
（２１）  前記包材内に、乾燥剤、液体吸収材、保水材、脱酸素剤、緩衝材のうちの少なくとも１つが収納されている上記（１）ないし（２０）のいずれかに記載の包装体の集合物。
【００２７】
（２２）  前記包装体は、前記包材の圧縮または変形を阻止する補強部を有する上記（１）ないし（２１）のいずれかに記載の包装体の集合物。
【考案の効果】
【００２８】
本考案によれば、例えば、保管時、輸送時等に生じる、廃棄しなければいけないみかんの数を減らすことができるとともに、みかんの鮮度を保つことができる包装体の集合物を提供することができる。
【図面の簡単な説明】
【００２９】
【図１】図１は、本考案の包装体の集合物（第１実施形態）が備える包装体の平面図である。
【図２】図２は、図１中Ａ−Ａ線断面図である。
【図３】図３は、本考案の包装体の集合物（第１実施形態）の断面図である。
【図４】図４は、従来の包装体の集合物の断面図である。
【図５】図５は、図３に示す包装体の集合物において、１つのみかんに着目した図（鉛直上方から見た図）である。
【図６】図６は、本考案の包装体の集合物（第２実施形態）の断面図である。
【図７】図７は、本考案の包装体の集合物（第３実施形態）の斜視図である。
【考案を実施するための形態】
【００３０】
以下、本考案の好適な実施形態について詳細に説明する。
＜第１実施形態＞
図１は、本考案の包装体の集合物（第１実施形態）が備える包装体の平面図である。図２は、図１中Ａ−Ａ線断面図である。図３は、本考案の包装体の集合物（第１実施形態）の断面図である。図４は、従来の包装体の集合物の断面図である。図５は、図３に示す包装体の集合物において、１つのみかんに着目した図（鉛直上方から見た図）である。
【００３１】
なお、以下の説明において、「上側」「下側」は、それぞれ図中における「上側」「下側」を意味し、同様に、「右側」「左側」は、それぞれ図中における「右側」「左側」を意味する。
【００３２】
図１〜図３に示すように、本考案の包装体２の集合物１は、１個のみかん１００と、みかん１００を収納する包材３とを有する包装体２を複数有し、複数の包装体２が、箱４に、みかん１００同士が直接接触することなく収納されているものである。このような本考案によれば、みかん１００が１つずつ別個に包装されるため、例えば、保管時、輸送時等に１つのみかん１００が損傷して果肉の汁が出てきたとしても、箱４内の他のみかん１００にまで果肉の汁が付着するのを防止することができる。特に、みかん１００は、比較的皮が柔らかく、果肉の汁が出やすいため、本考案の構成を適用することが有利である。また、１つのみかん１００にカビが生えたり、腐ったりしても、箱４内の他のみかん１００にまで広がってしまうのを防止することができる。そして、損傷したみかん１００のみ、包材３ごと破棄すればよい。さらに、包材３の諸機能により、みかん１００の新鮮さ（美味しさ）を長持ちさせることができる。
【００３３】
（みかん）
みかん１００の品種としては、特に限定されないが、ポンカン、甘平、西の香、はるか、はるみ、オレンジ、いよかん、デコポン、せとか、はれひめ、甘夏、はっさく、ブラッドオレンジ、アンコールオレンジ、天草、清見タンゴール、ハウスみかん、グリーンハウスみかん等が挙げられるが、その中でも皮が比較的柔らかいもの、例えば、温州みかん、愛媛みかん、甘平、早生みかん、ハウスみかんが好ましい。皮が比較的柔らかい品種のみかん１００を本考案に適用することにより、本考案の効果がより顕著となる。
【００３４】
また、みかん１００は、収穫から３日〜６０日経過したものであるのが好ましく、５日〜５０日経過したものであるのがより好ましい。本考案は、新鮮さを維持する効果が高く、従来のように裸のみかんが箱４に詰められている場合に比べ、収穫からの日数の長短の幅を広くとることができる。
【００３５】
（包材）
包材３は、視認性を有する樹脂フィルムで構成される。これにより、みかん１００の状態を一目で把握することができるとともに、後述するような液密性、通気性等の特性を再現しやすくすることができる。さらに、加工性に優れる。
【００３６】
ただし、この構成に限定されず、包材３は、視認性を有していない材料、例えば、紙材等により構成されていてもよい。
【００３７】
図１および図２に示すように、包材３は、まず、筒状になるように、１枚の樹脂フィルムの端部同士を接合し、該筒状の両端を接合することにより、みかん１００を収納する袋となる。
【００３８】
接合方法としては、熱融着、超音波融着等の融着や、圧着、接着剤を用いた接着等が挙げられるが、これらの中でも熱融着により接合を行うことが好ましい。これにより、包材３の成形を容易かつ低コストで行うことができる。
【００３９】
本実施形態では、上記接合を融着により行うことにより、３つのシール部３１、シール部３２およびシール部３３が形成される。シール部３１およびシール部３２は、平行となるように延在しており、シール部３３は、シール部３１およびシール部３２に対して垂直に交わる方向に延在している。なお、形成する順番としては、シール部３３、シール部３１およびシール部３２の順であってもよく、シール部３３、シール部３２およびシール部３１の順であってもよい。
【００４０】
例えば、シール部３３、シール部３１を形成した後に、一方が開口した袋状の樹脂フィルムにみかん１００を挿入し、開口を封止するようにシール部３２を形成することにより、包装体２を製造することができる。ただし、みかん１００を挿入する手順は、この順番に限定されない。
【００４１】
このように、包材３は、筒状をなす樹脂フィルムの一端部を封止するシール部３１（第１シール部）と、樹脂フィルムの他端部を封止するシール部３２（第２シール部）とを有する。これにより、包材３をどちら側からでも開封しやすくすることができる。
【００４２】
また、図示の構成では、シール部３１およびシール部３２の縁部が波状に加工されている。これにより、シール部３１およびシール部３２を破る操作を容易に行うことができる。
【００４３】
また、樹脂フィルムは、無色のフィルムであってもよく、着色フィルムであってもよい。着色フィルムの場合、色は、オレンジ色、橙色、赤色等の暖色であるのが好ましい。これにより、みかん１００の見栄えをよくすることができ、商品価値を高めることができる。
【００４４】
上記樹脂フィルムの構成材料としては、特に限定されず、無延伸ポリプロピレン、延伸ポリプロピレン、ポリエチレンおよびポリ塩化ビニール等が用いられるが、これら以外にポリアミド、ポリエステル、ポリカーボネート等のフィルム、またはこれらの複合フィルムであってもよい。
【００４５】
上記樹脂フィルムの厚さとしては、特に限定されず、例えば、１０μｍ〜１００μｍであることが好ましく、２０μｍ〜６０μｍであることがより好ましい。これにより、樹脂フィルムの強度を十分に確保することができるとともに、開封操作を容易に行うことができる。
【００４６】
また、包材３内には、空気が充填された状態でみかん１００が収納されていることが好ましい。これにより、包材３が内部の空気により張った状態を維持することができ、緩衝効果を得ることができる。よって、包材３に外力が加わったとしても、みかん１００に対する衝撃を緩和することができる。その結果、みかん１００から果肉の汁が放出されるのを防止または抑制することができる。
【００４７】
また、包材３は、気密性を有するものであることが好ましい。これにより、包材３の内部の空気が外部に逃げてしまうのを抑制することができる。よって、緩衝効果を長期にわたって発揮することができる。
【００４８】
また、包材３は、液体不透過性があり、かつ、水蒸気透過性を有するものであることが好ましい。包材３が液体不透過性を有することにより、みかん１００から果肉の汁が放出されたとしても、包材３の外側まで放出されるのを防止することができる。よって、ほかのみかん１００に果肉の汁が付着するのを防止することができる。また、水蒸気透過性を有することにより、包材３の内部の湿度が過剰に高くなってしまうのを防止することができる。よって、みかん１００を腐りにくくすることができる。
【００４９】
また、ＪＩＳ Ｋ ７１２９に準拠して測定される水蒸気透過率は、０．０５ｇ／（ｍ２・２４ｈ）〜１．００ｇ／（ｍ２・２４ｈ）であることが好ましく、０．０８ｇ／（ｍ２・２４ｈ）〜０．９０ｇ／（ｍ２・２４ｈ）であることがより好ましい。
【００５０】
また、包材３は、液体を通過させず、気体を通過させる程度の微小な孔が複数形成されていることが好ましい。これにより、上述したような、液体不透過性があり、かつ、水蒸気透過性を有するという構成を実現することができる。
【００５１】
上記孔の径としては、特に限定されないが、例えば、１０μｍ〜２００μｍであることが好ましく、２０μｍ〜１００μｍであることがより好ましい。これにより、液体不透過性をより効果的に高めることができるとともに、水蒸気透過性を十分に確保することができる。
【００５２】
また、包材３は、包材３内に１．５気圧の空気を充填したとき、１．０気圧に戻るまでの時間が２０時間〜１００時間であることが好ましく、３０時間〜９０時間であることがより好ましい。これにより、緩衝効果を長期にわたって発揮することができる。
【００５３】
また、包材３は、耐破裂圧力が１．２気圧〜３．０気圧であることが好ましく、１．３気圧〜２．５気圧であることがより好ましい。これにより、優れた緩衝効果を長期にわたって得ることができる。
【００５４】
なお、上記耐破裂圧力は、封止された状態の包材３内に徐々に空気を入れていき、包材３のシール部３１〜シール部３３のいずれかのシール部が破断した際の圧力のことを言う。
【００５５】
また、包材３には、情報表示部３４が設けられている。情報表示部３４は、図示の構成では、シール部３３が設けられている面とは、反対の面に設けられている。また、みかん１００を包材３に収納した状態において、包材３の平面視でみかん１００と重ならない位置に設けられている。
ただし、情報表示部３４の形成位置、大きさは、図示の構成に限定されない。
【００５６】
情報表示部３４は、樹脂フィルムに直接印刷された印刷部であってもよく、印刷部を有するシールが貼着されたものであってもよい。
【００５７】
また、情報表示部３４は、文字、絵柄等、直接的に情報の内容を示すものであってもよく、ＱＲコード（登録商標）等、間接的に情報の内容を示すもの（情報を担持するもの）であってもよい。
【００５８】
情報表示部３４に表示または担持される情報としては、みかん１００の品種、産地、収穫日、販売値、大きさ、等級、生産者名、価格、消費期限、管理番号、連絡用アドレス情報のうちの少なくとも１つである。
【００５９】
このように、包材３は、みかん１００の品種、産地、収穫日、販売値、大きさ、等級、生産者名、価格、消費期限、管理番号、連絡用アドレス情報のうちの少なくとも１つを表示または担持する情報表示部３４を有する。これにより、消費者がこれらの情報を知ることができる。さらに、箱４内に、例えば、異なる種類のみかん１００を収納して輸送したとしても、販売時には区別して販売することができる。よって、輸送効率を高めることができる。
【００６０】
（箱）
図３に示す箱４としては、例えば、段ボール箱や、木製の箱や、硬質樹脂製の箱等を用いることができる。箱４の大きさとしては、特に限定されず、例えば、長さ１００ｍｍ〜６００ｍｍ、幅１００ｍｍ〜６００ｍｍ、深さ２００ｍｍ〜５００ｍｍ程度の箱を用いることができる。
【００６１】
箱４は、輸送時、保管時、販売時等に用いられるものであり、例えば、収穫者が包装体２を製造し、製造した包装体２を箱４に満了充填したら、箱４に蓋をして１つの包装体２の集合物１が完成する。この作業を繰り返していき、包装体２の集合物１が複数得られたら、包装体２の集合物１を鉛直方向に積んだりして輸送、保管が行われる。
【００６２】
また、図３に示すように、内寸が長さ４００ｍｍ、幅３００ｍｍ、深さ２５０ｍｍの段ボール箱（箱４）に包装体２を満了充填したときの包装体２の個数は、１０個〜３０個であるのが好ましく、１３個〜２５個であるのがより好ましい。これにより、緩衝効果を十分に発揮することができるとともに、充填効率を十分に高めることができる。
【００６３】
段ボール箱に包装体２を満了充填したときの包装体２の個数が多すぎると、包材３内の空気を減らす必要があり、緩衝効果が薄れる可能性がある。一方、段ボール箱に包装体２を満了充填したときの包装体２の個数が少なすぎると、緩衝効果を十分に発揮することができるが、充填効率が低下してしまう。
【００６４】
また、図３に示すように、内寸が長さ４００ｍｍ、幅３００ｍｍ、深さ２５０ｍｍの段ボール箱（箱４）に包装体２を満了充填したときの全包装体２の重量の合計をＸ［ｇ］、図４に示すように、段ボール箱にみかん１００を裸で満了充填したときの全みかん１００の重量の合計をＹ［ｇ］としたとき、０．４≦Ｘ／Ｙ≦０．９を満たすことが好ましく、０．５≦Ｘ／Ｙ≦０．８を満たすことがより好ましい。これにより、緩衝効果を十分に発揮することができるとともに、充填効率を十分に高めることができる。
【００６５】
Ｘ／Ｙが大きすぎると、包材３内の空気を減らす必要があり、緩衝効果が薄れる可能性がある。一方、Ｘ／Ｙが小さすぎると、緩衝効果を十分に発揮することができるが、充填効率が低下してしまう。
【００６６】
また、図３に示すように、内寸が長さ４００ｍｍ、幅３００ｍｍ、深さ２５０ｍｍの段ボール箱（箱４）に包装体２を満了充填し、それら全包装体２からみかん１００を取り出し、取り出したみかん１００全部を段ボール箱に充填したとき、みかん１００最上部の、段ボール箱の底面からの高さが１００ｍｍ〜２２０ｍｍであることが好ましく、１２０ｍｍ〜２００ｍｍであることがより好ましい。これにより、緩衝効果を十分に発揮することができるとともに、充填効率を十分に高めることができる。
【００６７】
上記高さが高すぎると、包材３内の空気を減らす必要があり、緩衝効果が薄れる可能性がある。一方、上記高さが低すぎると、緩衝効果を十分に発揮することができるが、充填効率が低下してしまう。
【００６８】
また、図３に示すように、内寸が長さ４００ｍｍ、幅３００ｍｍ、深さ２５０ｍｍの段ボール箱（箱４）に包装体２を満了充填したときの、各包装体２に収納された１個のみかん１００の重量の平均値をＡ［ｇ］としたとき、各みかん１００の重量の標準偏差σが０．２Ａ以下であることが好ましく、標準偏差σが０．１７Ａ以下であることがより好ましい。このような数値範囲を満たすことにより、みかん１００の大きさのバラツキを少なくすることができる。よって、高級感を高めることができる。
【００６９】
また、各みかん１００の７５％以上は、果梗部（へたの部分）が同一方向を向くように箱４内に収納されていることが好ましい。これにより、固い部分である果梗部が周囲のみかん１００を押圧するのを抑制することができる。よって、みかん１００の損傷をさらに効果的に抑制することができる。また、箱４を開封した際の見た目もよくなる。
【００７０】
また、箱４内のみかん１００は、図５に示すように、鉛直方向に隣接するみかん１００同士は、鉛直方向と直行する方向（図５中矢印Ｂ、矢印Ｃ、矢印Ｄ方向のうちの少なくとも１つ）にみかん１００半個分ずれて配置されている。このように充填することにより、固い部分である果梗部が周囲のみかん１００を押圧するのをより効果的に抑制することができる。さらに、充填効率も高めることができる。
【００７１】
また、包材３内に、乾燥剤、液体吸収材、保水材、脱酸素剤、緩衝材（例えば、スポンジ片や、シュレッダー片等）のうちの少なくとも１つが収納されていてもよい。これにより、本考案の効果をより顕著に得ることができたり、箱４内の包装体２に対し、任意の付加価値を付与したりすることができる。
【００７２】
また、包装体２は、包材３の圧縮または変形を阻止する補強部を有していてもよい。この補強部としては、特に限定されないが、包材３の内側または外側に貼着された弾性を有する１本または複数本のワイヤー等が挙げられる。このような補強部を有することにより、みかん１００をさらに効果的に保護することができる。
【００７３】
＜第２実施形態＞
図６は、本考案の包装体の集合物（第２実施形態）の断面図である。
【００７４】
以下、この図を参照して本考案の包装体の集合物の第２実施形態について説明するが、前述した実施形態との相違点を中心に説明し、同様の事項はその説明を省略する。
【００７５】
図６に示すように、本実施形態では、包材３同士が連結された連結部３５を有する。具体的には、包材３のシール部３１と、包材３のシール部３２とが連結されており、その境界部が連結部３５を構成する。
【００７６】
このように、包材３同士を連結する連結部３５を有することにより、箱４から包装体２を取り出しやすくすることができる。また、包装体２を複数個のセットで販売する際の利便性に優れる。さらに、箱４内での包装体２の相対的な位置関係をある程度規制することができ、輸送時に振動が加わったとしても、包装体２同士の衝突を抑制することができる。
【００７７】
また、連結部３５は、易破断部３６を有する。これにより、易破断部３６を破断して包装体２同士を分離することができる。よって、例えば、包装体２をバラで販売する際の利便性を高めることができる。
【００７８】
易破断部３６としては、特に限定されず、例えば、ミシン目や、薄肉部等が挙げられる。
【００７９】
＜第３実施形態＞
図７は、本考案の包装体の集合物（第３実施形態）の斜視図である。
【００８０】
以下、この図を参照して本考案の包装体の集合物の第３実施形態について説明するが、前述した実施形態との相違点を中心に説明し、同様の事項はその説明を省略する。
【００８１】
図７に示すように、本実施形態では、包材３がみかん１００を収納した状態で四面体となるようにシール部３１およびシール部３２を形成する。
【００８２】
具体的には、シール部３１（第１シール部）の延在方向と、シール部３２（第２シール部）の延在方向とが非平行となるように接合を行う。このような構成によれば、緩衝効果をより顕著に発揮することができるとともに、箱４への充填効率を高めることができる。
【００８３】
以上、本考案の包装体の集合物を図示の実施形態について説明したが、本考案は、これに限定されるものではなく、包装体の集合物を構成する各部は、同様の機能を発揮し得る任意の構成のものと置換することができる。また、任意の構成物が付加されていてもよい。
【符号の説明】
【００８４】
１          集合物
２          包装体
３          包材
４          箱
３１        シール部
３２        シール部
３３        シール部
３４        情報表示部
３５        連結部
３６        易破断部
１００      みかん
Ｂ          矢印
Ｃ          矢印
Ｄ          矢印
【図１】
0003232358.tif 000003
【図２】
0003232358.tif 000004
【図３】
0003232358.tif 000005
【図４】
0003232358.tif 000006
【図５】
0003232358.tif 000007
【図６】
0003232358.tif 000008
【図７】
0003232358.tif 000009